(57)【要約】【課題】操作性を向上させるとともに、利用者の情報保守性を向上させることができる表示装置を提供することである。【解決手段】実施形態の表示装置は、表示部と、タッチパネル部と、表示制御部とを持つ。表示部は、地域または施設の構内の案内に関する画像を表示する。タッチパネル部は、前記表示部に表示された内容に対する利用者の操作を受け付ける。表示制御部は、前記タッチパネル部により受け付けられた操作によって前記表示部に表示される画像を制御する。また、表示制御部は、前記タッチパネル部により前記画像の表示領域を縮小する操作が受け付けられた場合に、前記画像の表示領域を、前記タッチパネル部により前記表示領域を縮小する操作が受け付けられていない場合の基準表示領域に比して縮小する。【選択図】図２
2019159923.tif 000002
【特許請求の範囲】
【請求項１】
地域または施設の構内の案内を表示する表示装置であって、
前記案内に関する画像を表示する表示部と、
前記表示部に表示された内容に対する利用者の操作を受け付けるタッチパネル部と、
前記タッチパネル部により受け付けられた操作によって前記表示部に表示される画像を制御する表示制御部とを備え、
前記表示制御部は、前記タッチパネル部により前記画像の表示領域を縮小する操作が受け付けられた場合に、前記画像の表示領域を、前記タッチパネル部により前記表示領域を縮小する操作が受け付けられていない場合の基準表示領域に比して縮小する、
表示装置。
【請求項２】
前記表示制御部は、前記基準表示領域に比して縮小した前記画像の表示領域を、前記基準表示領域の下方側に配置する、
請求項１に記載の表示装置。
【請求項３】
前記画像は、ＧＵＩオブジェクトを含み、
前記表示制御部は、前記基準表示領域に比して縮小した領域に複数のＧＵＩオブジェクトを配置する場合に、前記基準表示領域に表示する場合に比して、それぞれのＧＵＩオブジェクトの間隔を小さくする、
請求項１または２に記載の表示装置。
【請求項４】
前記表示制御部は、前記画像の表示領域を、前記基準表示領域に比して縮小して表示する場合に、前記画像の濃度を、前記基準表示領域に前記画像を表示させる場合に比して薄くする、
請求項１から３のうち何れか１項に記載の表示装置。
【請求項５】
前記表示制御部は、前記画像の表示領域を、前記基準表示領域に比して縮小して表示する場合に、縮小した表示領域に対する視野角を小さくするフィルタ制御を行う、
請求項１から４のうち何れか１項に記載の表示装置。
【請求項６】
前記表示制御部は、前記画像の表示領域が、前記基準表示領域に比して縮小して表示されている場合に、前記表示領域を前記基準表示領域に戻すＧＵＩオブジェクトを前記表示部に表示させる、
請求項１から５のうち何れか１項に記載の表示装置。
【請求項７】
前記表示制御部は、前記画像の表示領域を、前記基準表示領域に比して縮小して表示してから所定時間が経過した後も前記タッチパネル部により前記利用者の操作を受け付けていない場合、前記画像の表示領域を前記基準表示領域に戻す、
請求項１から６うち何れか１項に記載の表示装置。
【発明の詳細な説明】
【技術分野】
【０００１】
本発明の実施形態は、表示装置に関する。
【背景技術】
【０００２】
従来のデジタルサイネージ装置は、見易さを重視してボタンや文字等が大きく表示されるため、これらの情報を表示する表示領域も大きくなっている。しかしながら、表示領域に表示されている各種ボタンを利用者が操作して目的の情報を取得する場合に、表示領域が大きいため、配置されたボタンに手が届かなかったり、他人に見られたくない情報を閲覧している場合であっても、他人に容易に閲覧されてしまう場合があった。
【先行技術文献】
【特許文献】
【０００３】
【特許文献１】特開２０１２−７９１９４号公報
【特許文献２】特開２０１６−１８９０８１号公報
【発明の概要】
【発明が解決しようとする課題】
【０００４】
本発明が解決しようとする課題は、操作性を向上させるとともに、利用者の情報保守性を向上させることができる表示装置を提供することである。
【課題を解決するための手段】
【０００５】
実施形態の表示装置は、表示部と、タッチパネル部と、表示制御部とを持つ。表示部は、地域または施設の構内の案内に関する画像を表示する。タッチパネル部は、前記表示部に表示された内容に対する利用者の操作を受け付ける。表示制御部は、前記タッチパネル部により受け付けられた操作によって前記表示部に表示される画像を制御する。また、表示制御部は、前記タッチパネル部により前記画像の表示領域を縮小する操作が受け付けられた場合に、前記画像の表示領域を、前記タッチパネル部により前記表示領域を縮小する操作が受け付けられていない場合の基準表示領域に比して縮小する。
【図面の簡単な説明】
【０００６】
【図１】実施形態の表示装置１００が設置されている様子の一例を示す図。
【図２】実施形態の表示装置１００の機能構成を示す図。
【図３】実施形態の表示制御部の処理について説明するための図。
【図４】実施形態の設定画面ＩＭ２について説明するための図。
【図５】実施形態の７５％の縮小表示領域ＩＭ３＃にＧＵＩオブジェクトを表示した様子を示す図。
【図６】実施形態の５０％の縮小表示領域ＩＭ＃４にＧＵＩオブジェクトを表示した様子を示す図。
【図７】実施形態の表示領域の覗き見を抑制するための表示制御部１４０の処理について説明するための図。
【図８】実施形態の表示装置１００により実行される処理の流れを示すフローチャート。
【発明を実施するための形態】
【０００７】
以下、実施形態の表示装置を、図面を参照して説明する。
【０００８】
図１は、実施形態の表示装置１００が設置されている様子の一例を示す図である。表示装置１００は、例えば、駅構内やテーマパーク等の施設内に設置されている。表示装置１００は、例えば、地域または施設の構内の案内を表示する。これらの情報は、表示装置１００の記憶部に設置されていてもよく、情報提供サーバ等から取得してもよい。また、表示装置１００は、周辺に存在する複数の利用者（例えば、利用者Ｕ１、Ｕ２）からの見易さを重視して、画像等の情報を表示する表示領域は大きいものが用いられる。表示装置１００は、例えば、デジタルサイネージ装置である。以下、表示装置１００を利用者Ｕ１が使用するものとして説明する。
【０００９】
図２は、実施形態の表示装置１００の機能構成を示す図である。表示装置１００は、例えば、通信部１１０と、表示部１２０と、タッチパネル部１３０と、表示制御部１４０と、記憶部１５０とを備える。通信部１１０および記憶部１５０を除く構成要素は、それぞれ、例えば、ＣＰＵ（Central Processing Unit）等のハードウェアプロセッサがプログラム（ソフトウェア）を実行することにより実現される。また、これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）等のハードウェア（回路部；circuitryを含む）によって実現されてもよいし、ソフトウェアとハードウェアの協働によって実現されてもよい。プログラムは、予め表示装置１００の記憶部１５０に格納されていてもよいし、ＤＶＤやＣＤ−ＲＯＭ等の着脱可能な記憶媒体に格納されており、記憶媒体がドライブ装置に装着されることで表示装置１００のＨＤＤやフラッシュメモリにインストールされてもよい。記憶部１５０は、例えば、ＨＤＤ、フラッシュメモリ、ＥＥＰＲＯＭ（Electrically Erasable Programmable Read Only Memory）、ＲＯＭ（Read Only Memory）、またはＲＡＭ（Random Access Memory）等により構成される。記憶部１５０には、例えば、表示データ１５２、配置データ１５４、その他の情報が記憶される。
【００１０】
通信部１１０は、ネットワークインタフェースである。通信部１１０は、ネットワークを介して、例えば、表示部１２０に表示させる画像やコンテンツ等を取得するために情報提供サーバ（不図示）等と通信を行う。ネットワークとは、例えば、ＷＡＮ（Wide Area Network）やＬＡＮ（Local Area Network）、インターネット、専用回線等を含む。
【００１１】
通信部１１０は、情報提供サーバ等から、表示装置１００が設置された地域または施設の構内の案内に関する情報に関する画像、その他の情報（例えば、広告やニュース等のコンテンツ）を受信する。画像には、例えば、ＧＵＩ（Graphical User Interface）オブジェクト、文字画像、模様画像、静止画、動画が含まれる。ＧＵＩオブジェクトとは、例えば、ボタンやスイッチ、スライドバー等であり、利用者Ｕ１の選択操作等によって、表示される情報や表示制御の内容を特定するものである。
【００１２】
また、通信部１１０は、情報提供サーバ等から、ＧＵＩオブジェクトやその他の画像等の表示領域中での配置、レイアウト、色、形状等に関する配置関連情報を受信してもよい。通信部１１０が情報提供サーバ等から受信した地域または施設の構内の案内に関する画像、その他の情報は、表示データ１５２として記憶部１５０に記憶され、配置関連情報は、配置データ１５４として記憶部１５０に記憶される。通信部１１０は、所定のタイミングで情報提供サーバと通信を行うことで、最新の情報を取得することができる。
【００１３】
表示部１２０は、例えば、ＬＣＤ（Liquid Crystal Display）や有機ＥＬ（Electro Luminescence）表示装置等である。表示部１２０は、表示制御部１４０の制御に基づいて記憶部１５０に記憶した表示データ１５２に含まれる情報等を所定の表示領域に表示する。
【００１４】
タッチパネル部１３０は、利用者Ｕ１の入力操作を受け付ける受付部である。タッチパネル部１３０は、例えば、表示部１２０と一体に形成される。タッチパネル部１３０は、例えば、マトリクス・スイッチや、抵抗膜方式、表面弾性波方式、赤外線方式、電磁誘導方式、静電容量方式等を用いて、表示部１２０の表示領域のうち、利用者Ｕ１がタッチした位置を認識する。例えば、タッチパネル部１３０は、表示部１２０の表示領域に表示された複数のＧＵＩオブジェクトのうち、利用者Ｕ１が表示領域中のタッチした位置に表示されたＧＵＩオブジェクトの情報を取得することで、利用者Ｕ１の入力操作の内容を取得する。
【００１５】
表示制御部１４０は、記憶部１５０に記憶された表示データ１５２を、表示部１２０の基準表示領域に表示させる。基準表示領域とは、例えば、利用者Ｕ１により縮小表示の操作がなされていない状態での表示領域である。また、表示制御部１４０は、タッチパネル部１３０により受け付けられた操作に基づいて、表示部１２０に表示される画像の表示内容、画像を表示する表示領域の縮小、拡大を制御する。
【００１６】
図３は、実施形態の表示制御部の処理について説明するための図である。図３には、縮小表示される前の基準表示領域ＩＭ１にＧＵＩオブジェクトｏｂ１〜ｏｂ９が表示された様子を示している。図３の例において、表示制御部１４０は、記憶部１５０に記憶された配置データ１５４に基づいて、ＧＵＩオブジェクトｏｂ１〜ｏｂ９を基準表示領域内に表示させる。例えば、表示制御部１４０は、基準表示領域ＩＭ１内に配置されるＧＵＩオブジェクトｏｂ１〜ｏｂ８のそれぞれの形状や大きさを同一にする。例えば、表示制御部１４０は、ＧＵＩオブジェクトｏｂ１〜ｏｂ８の形状を矩形とし、それぞれの横の長さＬｈ１と、縦の長さＬｖ１とを同一にする。また、表示制御部１４０は、ＧＵＩオブジェクト間の横の配置間隔Ｗ１と、縦の配置間隔Ｗ２とを、それぞれ同一にする。これにより、基準表示領域内にバランス良くそれぞれのＧＵＩオブジェクトを配置することができる。
【００１７】
また、表示制御部１４０は、ＧＵＩオブジェクトの表示領域を変更するためのＧＵＩオブジェクトｏｂ９を基準表示領域ＩＭ１に表示する。表示制御部１４０は、例えば、ＧＵＩオブジェクトｏｂ９の横の長さＬｈ２および縦の長さＬｖ２を、横の長さＬｈ１および縦の長さＬｖ１よりも長くする。また、表示制御部１４０は、ＧＵＩオブジェクトｏｂ９を他のＧＵＩオブジェクトと異なる色や模様で表示させてもよい。これにより、表示領域を変更するためのＧＵＩオブジェクトｏｂ９を、他のＧＵＩオブジェクトｏｂ１〜ｏｂ８よりも強調して表示させることができ、利用者Ｕ１にＧＵＩオブジェクトｏｂ９の存在を視認させ易くすることができる。また、表示制御部１４０は、ＧＵＩオブジェクトｏｂ９を基準表示領域ＩＭ１の下方側に表示させる。これにより、利用者Ｕ１が背の低い子供やお年寄り等であってもＧＵＩオブジェクトｏｂ９を容易に選択することができる。
【００１８】
表示制御部１４０は、タッチパネル部１３０により、利用者Ｕ１よるＧＵＩオブジェクトｏｂ１〜ｏｂ８のうち何れかの選択を受け付けた場合に、選択されたＧＵＩオブジェクトに対応付けられた情報を記憶部１５０に記憶された表示データ１５２から取得し、取得した情報（例えば、地域または施設の構内の案内に関する情報に関する画像）を表示部１２０に表示させる。
【００１９】
また、表示制御部１４０は、タッチパネル部１３０により、利用者Ｕ１よるＧＵＩオブジェクトｏｂ９の選択が受け付けられた場合に、基準表示領域ＩＭ１に対する表示領域比率を選択する設定する設定画面ＩＭ２を表示部１２０に表示させる。図４は、実施形態の設定画面ＩＭ２について説明するための図である。表示制御部１４０は、ＧＵＩオブジェクトｏｂ９が選択された場合に、基準表示領域ＩＭ１に対する縮小比率を選択するＧＵＩオブジェクトｏｂ１１〜ｏｂ１４を設定画面ＩＭ２に表示させる。また、表示制御部１４０は、利用者Ｕ１に縮小比率の選択を促すメッセージ（例えば、「画面サイズを選択してください」）を表示してもよい。
【００２０】
図４の例において、表示制御部１４０は、「１００％」、「７５％」、「５０％」、「手動」を選択できるＧＵＩオブジェクト１１〜１４を設定画面ＩＭ２に表示させる。例えば、タッチパネル部１３０により「７５％」、「５０％」の比率のうち、何れかの比率の選択が受け付けられた場合、表示制御部１４０は、基準表示領域ＩＭ１の大きさに、比率を乗じて変更後の縮小表示領域を設定し、設定した表示領域にＧＵＩオブジェクトｏｂ１〜ｏｂ９を表示する。なお、「１００％」の比率は、基準表示領域ＩＭ１と同じ大きさの領域である。つまり、縮小表示の状態において、「１００％」の比率が選択された場合、表示制御部１４０は、基準表示領域ＩＭ１に戻す（拡大する）表示制御が行われる。
【００２１】
また、表示制御部１４０は、「手動」のＧＵＩオブジェクトｏｂ１４の選択を受け付けた場合に、表示領域に数値を入力するボタンや、スライドバー等が表示され、利用者Ｕ１の操作により所定の数値（比率）が設定される。
【００２２】
表示制御部１４０は、選択された比率に基づく表示領域にＧＵＩオブジェクトｏｂ１〜ｏｂ９を表示する。図５は、実施形態の７５％の縮小表示領域ＩＭ３＃にＧＵＩオブジェクトを表示した様子を示す図である。表示制御部１４０は、タッチパネル部１３０により表示領域の比率を「７５％」にするオブジェクトｏｂ１２の選択を受け付けた場合に、配置データ１５４に基づいて、基準表示領域中における７５％の表示領域の表示位置を設定し、設定した表示位置にＧＵＩオブジェクトｏｂ１〜ｏｂ９を表示する。
【００２３】
図５の例において、表示制御部１４０は、基準表示領域ＩＭ３の下方側に（図５の例では、基準表示領域ＩＭ３の下端に接するように）縮小表示領域ＩＭ３＃を設定し、設定した縮小表示領域ＩＭ３＃に、ＧＵＩオブジェクトｏｂ１〜ｏｂ９を表示させる。この場合、表示制御部１４０は、ＧＵＩオブジェクトｏｂ１〜ｏｂ８の大きさ（横の長さＬｈ１、縦の長さＬｖ１）を変更せずに、ＧＵＩオブジェクト間の横の間隔Ｗ１＃および縦の間隔Ｗ２＃のうち一方または双方を、基準表示領域に表示させたときの間隔Ｗ１、Ｗ２よりも小さくする。また、表示制御部１４０は、ＧＵＩオブジェクトｏｂ９の大きさ（横の長さＬｈ２、縦の長さＬｖ２）を変更しなくてもよい。また、表示制御部１４０は、ＧＵＩオブジェクトｏｂ９に、縮小表示領域ＩＭ３＃に対して拡大と縮小の両方を行うことができる旨を示す情報を表示させてもよい。図５の例では、ＧＵＩオブジェクトｏｂ９に「画面縮小・拡大ボタン」の文字が表示されている。また、表示制御部１４０は、基準表示領域ＩＭ３から縮小表示領域ＩＭ３＃の領域を除いた余白領域ｍａ１を、所定色（例えば、黒）で表示させてもよく、縮小表示領域ＩＭ３＃の背景色と同色で表示させてもよい。
【００２４】
図６は、実施形態の５０％の縮小表示領域ＩＭ＃４にＧＵＩオブジェクトを表示した様子を示す図である。表示制御部１４０は、タッチパネル部１３０により表示領域の比率を「５０％」にするオブジェクトｏｂ１３の選択を受け付けた場合に、基準表示領域ＩＭ４に対して５０％の縮小表示領域ＩＭ４＃を設定し、設定した縮小表示領域ＩＭ４＃にＧＵＩオブジェクトｏｂ１〜ｏｂ９を表示する。
【００２５】
図６の例において、表示制御部１４０は、基準表示領域ＩＭ４の下方側に（図６の例では、基準表示領域ＩＭ４の下端に接するように）、縮小表示領域ＩＭ４＃を設定し、設定した縮小表示領域ＩＭ４＃に、ＧＵＩオブジェクトｏｂ１〜ｏｂ８を表示させる。この場合、表示制御部１４０は、ＧＵＩオブジェクトｏｂ１〜ｏｂ８の大きさ（横の長さＬｈ１、縦の長さＬｖ１）を変更せずに、ＧＵＩオブジェクト間の横の間隔Ｗ１＃＃を、基準表示領域に表示させたときの間隔Ｗ１よりも小さくする。また、図６の例において、表示制御部１４０は、ＧＵＩオブジェクトの縦の間隔を空けずに隣接して配置する。また、表示制御部１４０は、ＧＵＩオブジェクトｏｂ９の大きさ（横の長さＬｈ２、縦の長さＬｖ２）を変更しなくてよい。また、表示制御部１４０は、図６に示す縮小比率より小さい縮小を行わない場合に、ＧＵＩオブジェクトｏｂ９に、縮小表示領域ＩＭ４＃に対して拡大を行うことができる旨を示す情報を表示させてもよい。図６の例では、ＧＵＩオブジェクトｏｂ９に「画面拡大ボタン」の文字が表示されている。また、表示制御部１４０は、基準表示領域ＩＭ４から縮小表示領域ＩＭ４＃の領域を除いた余白領域ｍａ２を、所定色（例えば、黒）で表示させてもよく、縮小表示領域ＩＭ４＃の背景色と同色で表示させてもよい。
【００２６】
なお、表示制御部１４０は、縮小や拡大する表示領域の大きさに基づいて、ＧＵＩオブジェクトｏｂ１〜ｏｂ９の大きさを変更してもよい。この場合、表示制御部１４０は、比率の基づくＧＩオブジェクトｏｂ１〜ｏｂ８の大きさの比率と、ＧＩオブジェクトｏｂ９の大きさの比率とを異ならせてもよい。
【００２７】
また、表示制御部１４０は、表示領域の縮小比率が所定比率以下である場合、または縮小表示にしたことによる余白領域（図５のｍａ１、図６のｍａ２）が所定領域以上である場合、余白領域に広告やニュース等のコンテンツを表示させてもよい。これらのコンテンツは、例えば、通信部１１０により、情報提供サーバ等から取得されてもよく、予め記憶部１５０に記憶されてもよい。例えば、表示制御部１４０は、表示領域比率が５０％以下である場合に、図６に示すように、余白領域ｍａ２にコンテンツ画像Ｃ１を表示させる。
【００２８】
また、表示制御部１４０は、縮小表示する場合に、縮小した領域に利用者Ｕ１以外の第三者からの覗き見を抑制するための表示制御を行ってもよい。第三者からの覗き見を抑制するための表示制御とは、例えば、縮小領域に表示される画像の濃度を、基準表示領域に表示する場合に比して薄くする表示制御や、フィルタ制御等により視野角を小さくして、画面正面に対して所定角度以上の角度から閲覧した場合に表示内容等が見づらくなるような表示制御である。画面正面に対する角度とは、例えば、表示領域の各画素の画面からの法線を０度としたときの角度である。
【００２９】
図７は、表示領域の覗き見を抑制するための表示制御部１４０の処理について説明するための図である。図７の例では、図６に示す縮小表示領域ＩＭ４＃に対して視野角を狭くするフィルタ制御が行われた様子を示している。
【００３０】
表示制御部１４０は、例えば、縮小表示領域ＩＭ４＃による縮小表示が実行されている場合に、画面正面に対して所定角度以上の角度から閲覧すると、所定の模様が見えるために実際の表示内容が閲覧できなくなるように、縮小表示領域ＩＭ４＃にフィルタオブジェクトｏｂｆを表示する。なお、表示制御部１４０は、利用者Ｕ１以外の第三者の閲覧も許容する広告やニュース等のコンテンツ画像Ｃ１については、フィルタ制御を行わない。
【００３１】
このように、表示制御部１４０は、基準表示領域ＩＭ４の全てにフィルタ制御せずに、一部の領域（縮小表示領域ＩＭ４＃）にフィルタ制御を行うことで、他人に見られたくない情報の閲覧を抑制し、他人に見られてもよい情報は周囲に閲覧させることができる。したがって、例えば、利用者Ｕ１が個人的な情報の検索を行っている一方で、他人がニュースや電車の遅延情報等を閲覧することができ、表示装置１００を有効活用することができる。
【００３２】
図８は、実施形態の表示装置１００により実行される処理の流れを示すフローチャートである。本フローチャートの処理では、すでに基準表示領域ＩＭ１にオブジェクトｏｂ１〜ｏｂ９が表示されているものとする。また、図８に示すフローチャートは、所定のタイミングで繰り返し実行されてよい。
【００３３】
まず、表示制御部１４０は、タッチパネル部１３０により、表示領域を変更する操作が受け付けられたか否かを判定する（ステップＳ１００）。表示領域を変更する操作が受け付けられたと判定された場合、表示制御部１４０は、表示領域比率を設定する設定画面ＩＭ２を表示部１２０に表示させる（ステップＳ１０２）。次に、表示制御部１４０は、タッチパネル部１３０により、表示領域比率１００％の選択が受け付けられたか否かを判定する（ステップＳ１０４）。表示領域比率１００％の選択が受け付けられたと判定された場合、表示制御部１４０は、基準表示領域に比して表示領域比率１００％の領域にＧＵＩオブジェクトｏｂ１〜ｏｂ９を表示させる（ステップＳ１０６）。
【００３４】
また、表示領域比率１００％の選択が受け付けられていないと判定された場合、表示制御部１４０は、タッチパネル部１３０により表示領域比率７５％の選択が受け付けられたか否かを判定する（ステップＳ１０８）。表示領域比率７５％の選択が受け付けられたと判定された場合、表示制御部１４０は、基準表示領域に比して表示領域比率７５％の領域にＧＵＩオブジェクトｏｂ１〜ｏｂ９を表示させる（ステップＳ１１０）。
【００３５】
また、表示領域比率７５％の選択が受け付けられていないと判定された場合、表示制御部１４０は、タッチパネル部１３０により表示領域比率５０％の選択が受け付けられたか否かを判定する（ステップＳ１１２）。表示領域比率５０％の選択が受け付けられたと判定された場合、表示制御部１４０は、基準表示領域に比して表示領域比率５０％の領域にＧＵＩオブジェクトｏｂ１〜ｏｂ９を表示させる（ステップＳ１１４）。
【００３６】
また、表示領域比率５０％の選択が受け付けられていないと判定された場合、表示制御部１４０は、タッチパネル部１３０により手動選択による比率を受け付け（ステップＳ１１６）、受け付けられた比率に対応する表示領域にＧＵＩオブジェクトを表示する（ステップＳ１１８）。これにより、本フローチャートの処理は、終了する。また、ステップＳ１００の処理において、表示領域を変更する操作が受け付けられていないと判定された場合にも、本フローチャートの処理は、終了する。なお、図８に示すフローチャートにおいて、表示制御部１４０は、所定の比率によって設定された表示領域にＧＵＩオブジェクトを表示させた後、所定時間が経過しても利用者Ｕ１による操作が行われなかった場合には、表示領域を基準表示領域に戻す処理を行ってもよい。
【００３７】
以上説明したように、実施形態の表示装置１００によれば、地域または施設の構内の案内を表示する表示装置１００であって、案内に関する画像を表示する表示部１２０と、表示部１２０に表示された内容に対する利用者の操作を受け付けるタッチパネル部１３０と、タッチパネル部１３０により受け付けられた操作によって表示部１２０に表示される画像を制御する表示制御部１４０とを備え、表示制御部１４０は、タッチパネル部１３０により画像の表示領域を縮小する操作が受け付けられた場合に、画像の表示領域を、タッチパネル部により表示領域を縮小する操作が受け付けられていない場合の基準表示領域に比して縮小することにより、利用者の操作性を向上させるとともに、利用者の情報保守性を向上させることができる。
【００３８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３９】
１００…表示装置、１１０…通信部、１２０…表示部、１３０…タッチパネル部、１４０…表示制御部、１５０…記憶部
【図１】
2019159923.tif 000003
【図２】
2019159923.tif 000004
【図３】
2019159923.tif 000005
【図４】
2019159923.tif 000006
【図５】
2019159923.tif 000007
【図６】
2019159923.tif 000008
【図７】
2019159923.tif 000009
【図８】
2019159923.tif 000010